(57)【要約】  本発明は、タッチ基板を開示している。前記タッチ基板は、第１方向に次々に設けられた複数の第１タッチ電極を含み、前記複数の第１タッチ電極の各々が大体第２方向に延在する第１タッチ電極層と、前記第２方向に次々に設けられた複数の第２タッチ電極を含み、前記複数の第２タッチ電極の各々が大体前記第１方向に延在する第２タッチ電極層と、前記第１タッチ電極層から電気的に絶縁された複数のダミーパターンとを備える。
2021502615.tif 000002
【特許請求の範囲】
【請求項１】
第１方向に次々に設けられた複数の第１タッチ電極を含み、前記複数の第１タッチ電極の各々が大体第２方向に延在する第１タッチ電極層と、
前記第２方向に次々に設けられた複数の第２タッチ電極を含み、前記複数の第２タッチ電極の各々が大体前記第１方向に延在する第２タッチ電極層と、
前記第１タッチ電極層から電気的に絶縁された複数のダミーパターンと、を備え、
前記複数の第１タッチ電極の各々は、大体前記第２方向に電気的に接続される複数の第１電極ブロックを含み、
前記複数の第２タッチ電極の各々は、大体前記第１方向に電気的に接続される複数の第２電極ブロックを含み、
前記複数の第1タッチ電極ブロックの各々は、複数の上昇エッジと複数の下降エッジとを有する第１ジグザグ状境界を備え、かつ、
前記複数の第１タッチ電極ブロックの各々と前記複数のダミーパターンのうちの隣接するダミーパターンとは、略平行四辺形状を形成する、ことを特徴とするタッチ基板。
【請求項２】
前記平行四辺形状の内角は、約６０度〜約９０度の範囲にあることを特徴とする請求項１に記載のタッチ基板。
【請求項３】
前記複数の第２タッチ電極の各々は、略平行四辺形状を有することを特徴とする請求項１に記載のタッチ基板。
【請求項４】
前記複数の第２タッチ電極ブロックの各々は、複数の上昇エッジと複数の下降エッジとを有する第２ジグザグ状境界を備え、かつ、
前記複数の第２タッチ電極ブロックの各々と前記複数のダミーパターンのうちの隣接するダミーパターンとは、略平行四辺形状を形成する、ことを特徴とする請求項１に記載のタッチ基板。
【請求項５】
前記複数のダミーパターンは、複数の第１ダミーパターンを含み、前記複数の第１ダミーパターンの各々は、前記複数の第１電極ブロックのうちの１つ及び前記複数の第２電極ブロックのうちの１つからなる対の第１電極ブロックと第２電極ブロックとの間に挟み込まれた領域に位置し、前記複数の第１電極ブロックのうちの１つと前記複数の第２電極ブロックのうちの１つは互いに隣接する、ことを特徴とする請求項１に記載のタッチ基板。
【請求項６】
前記複数の第１ダミーパターンのうちの１つ以上は、前記略平行四辺形状の四辺の少なくとも１つの辺のそれぞれの長さに対して、約５０％〜約７５％を占める、ことを特徴とする請求項５に記載のタッチ基板。
【請求項７】
前記複数の第１電極ブロックのうちの１つ及び前記複数の第２電極ブロックのうちの１つからなる対の第１電極ブロックと第２電極ブロックとの間の幅方向における、前記複数の第１ダミーパターンの各々の幅は、前記幅方向に大体平行する前記略平行四辺形状の辺の長さの約２５％以下である、ことを特徴とする請求項５に記載のタッチ基板。
【請求項８】
前記略平行四辺形状の第１辺を占める前記複数の第１ダミーパターンのうちの複数のダミーパターンは、第１ダミーパターン層と第２ダミーパターン層とを含み、
前記第１ダミーパターン層は、前記略平行四辺形状の前記第１辺に沿って第１長さで延在し、かつ、
前記第２ダミーパターン層は、前記第１ダミーパターン層と隣接し、前記第１ダミーパターン層によって前記略平行四辺形状の前記第１辺から離隔され、前記第２ダミーパターン層は、前記第１ダミーパターン層に沿って第２長さで延在する、ことを特徴とする請求項５に記載のタッチ基板。
【請求項９】
前記第１辺の長さに対する前記第１長さの第１比率は、前記第１長さに対する前記第２長さの第２比率と大体同じである、ことを特徴とする請求項８に記載のタッチ基板。
【請求項１０】
前記複数のダミーパターンは、複数の第２ダミーパターンをさらに含み、前記複数の第２ダミーパターンの各々は、前記複数の第１電極ブロックのうちの１つにより囲まれた領域に位置する、ことを特徴とする請求項５に記載のタッチ基板。
【請求項１１】
前記複数のダミーパターンは、複数の第３ダミーパターンをさらに含み、前記複数の第３ダミーパターンの各々は、前記複数の第２電極ブロックのうちの１つにより囲まれた領域に位置する、ことを特徴とする請求項５に記載のタッチ基板。
【請求項１２】
前記第１ジグザグ状境界の大体全てのエッジのうちの各エッジと前記第１方向との間の夾角は、約１５度〜約７５度の範囲にあり、かつ、
前記第１ジグザグ状境界の大体全てのエッジのうちの各エッジと前記第２方向との間の夾角は、約１５度〜約７５度の範囲にある、ことを特徴とする請求項１に記載のタッチ基板。
【請求項１３】
前記複数のダミーパターンのうちの各ダミーパターンの境界における大体全てのエッジのうち、隣接する任意の２つのエッジの間の夾角は、約３０度〜約１５０度の範囲にある、ことを特徴とする請求項１に記載のタッチ基板。
【請求項１４】
前記複数のダミーパターンのうちの各ダミーパターンの境界における大体全てのエッジのうちの各エッジと前記第１方向との間の夾角は、約１５度〜約７５度の範囲にあり、
前記複数のダミーパターンのうちの各ダミーパターンの境界における大体全てのエッジのうちの各エッジと前記第２方向との間の夾角は、約１５度〜約７５度の範囲にある、ことを特徴とする請求項３に記載のタッチ基板。
【請求項１５】
前記タッチ基板におけるタッチ電極の総面積に対する前記複数のダミーパターンの総面積の比は、約１：１０〜約１：２の範囲にある、ことを特徴とする請求項１に記載のタッチ基板。
【請求項１６】
前記複数の第１電極ブロックのうちの１つにより囲まれた前記複数の第２ダミーパターンのうちの複数の第２ダミーパターンは、大体前記第２方向に沿う鏡面対称軸に対して、大体鏡面対称になっている、ことを特徴とする請求項１０に記載のタッチ基板。
【請求項１７】
前記複数の第１電極ブロックのうちの１つは、前記鏡面対称軸に対して、大体鏡面対称になっている、ことを特徴とする請求項１６に記載のタッチ基板。
【請求項１８】
前記第２ジグザグ状境界の大体全てのエッジのうち、隣接する任意の２つのエッジの間の夾角は、約３０度〜約１５０度の範囲にある、ことを特徴とする請求項１に記載のタッチ基板。
【請求項１９】
前記第２ジグザグ状境界の大体全てのエッジのうちの各エッジと前記第１方向との間の夾角は、約１５度〜約７５度の範囲にあり、かつ、
前記第２ジグザグ状境界の大体全てのエッジのうちの各エッジと前記第２方向との間の夾角は、約１５度〜約７５度の範囲にある、ことを特徴とする請求項１８に記載のタッチ基板。
【請求項２０】
請求項１〜１９のいずれか１項に記載のタッチ基板と、大体前記第１方向および前記第２方向に沿うマトリックスにおける複数のサブピクセルのアレイとを備えるタッチコントロール表示装置。
【発明の詳細な説明】
【技術分野】
【０００１】
本発明は、タッチコントロール技術に関し、特にタッチ基板およびタッチコントロール表示装置に関する。
【背景技術】
【０００２】
近年、タッチデバイスは、携帯電話、コンピュータディスプレイパネル、タッチスクリーン、衛星ナビゲーション装置、デジタルカメラなどの様々な電子機器に広く用いられている。タッチデバイスの例としては、相互容量式タッチコントロール装置と自己容量式タッチコントロール装置が挙げられる。相互容量式タッチコントロール装置において、タッチ電極は、複数のタッチ走査電極（Ｔｘ）と複数のタッチセンシング電極（Ｒｘ）を含む。自己容量式タッチコントロール装置において、タッチ電極は、単独でタッチコントロール機能を実現することができる。指がタッチコントロール表示パネルにおけるポイントをタッチすると、指の容量がタッチパネルの容量に重畳されたことにより、タッチパネルの容量が変化する。タッチイベントによる容量変化に基づいて、タッチされた第１電極および第２電極の座標を決定することができる。タッチイベントの検出時に、相互容量式タッチ表示パネルは、タッチ走査電極アレイとタッチセンシング電極アレイを順次に測定する。タッチ解像度は、隣接する導電チャンネルの間の距離と相関する。隣接する導電チャンネルの距離が小さければ小さいほどタッチ解像度が高くなる。
【発明の概要】
【０００３】
１つの形態において、本発明は、第１方向に次々に設けられた複数の第１タッチ電極を含み、前記複数の第１タッチ電極の各々が大体第２方向に延在する第１タッチ電極層と、前記第２方向に次々に設けられた複数の第２タッチ電極を含み、前記複数の第２タッチ電極の各々が大体前記第１方向に延在する第２タッチ電極層と、前記第１タッチ電極層から電気的に絶縁された複数のダミーパターンとを備え、前記複数の第１タッチ電極の各々は、大体前記第２方向に電気的に接続される複数の第１電極ブロックを含み、前記複数の第２タッチ電極の各々は、大体前記第１方向に電気的に接続される複数の第２電極ブロックを含み、前記複数の第1タッチ電極ブロックの各々は、複数の上昇エッジと複数の下降エッジとを有する第１ジグザグ状境界を備え、かつ、前記複数の第１タッチ電極ブロックの各々と前記複数のダミーパターンのうちの隣接するダミーパターンとは、略平行四辺形状を形成するタッチ基板を提供する。
【０００４】
必要に応じて、前記平行四辺形状の内角は、約６０度〜約９０度の範囲にある。
【０００５】
必要に応じて、前記複数の第２タッチ電極の各々は、略平行四辺形状を有する。
【０００６】
必要に応じて、前記複数の第２タッチ電極ブロックの各々は、複数の上昇エッジと複数の下降エッジとを有する第２ジグザグ状境界を備え、かつ、前記複数の第２タッチ電極ブロックの各々と前記複数のダミーパターンのうちの隣接するダミーパターンとは、略平行四辺形状を形成する。
【０００７】
必要に応じて、前記複数のダミーパターンは、複数の第１ダミーパターンを含み、前記複数の第１ダミーパターンの各々は、前記複数の第１電極ブロックのうちの１つ及び前記複数の第２電極ブロックのうちの１つからなる対の第１電極ブロックと第２電極ブロックとの間に挟み込まれた領域に位置し、前記複数の第１電極ブロックのうちの１つと前記複数の第２電極ブロックのうちの１つは互いに隣接する。
【０００８】
必要に応じて、前記複数の第１ダミーパターンのうちの１つ以上は、前記略平行四辺形状の四辺の少なくとも１つの辺のそれぞれの長さに対して、約５０％〜約７５％を占める。
【０００９】
必要に応じて、前記複数の第１電極ブロックのうちの１つ及び前記複数の第２電極ブロックのうちの１つからなる対の第１電極ブロックと第２電極ブロックとの間の幅方向における、前記複数の第１ダミーパターンの各々の幅は、前記略平行四辺形状の前記幅方向に大体平行する辺の長さの約２５％以下である。
【００１０】
必要に応じて、前記略平行四辺形状の第１辺を占める前記複数の第１ダミーパターンのうちの複数のダミーパターンは、第１ダミーパターン層と第２ダミーパターン層とを含み、前記第１ダミーパターン層は、前記略平行四辺形状の前記第１辺に沿って第１長さで延在し、かつ、前記第２ダミーパターン層は、前記第１ダミーパターン層と隣接し、前記第１ダミーパターン層によって前記略平行四辺形状の前記第１辺から離隔され、前記第２ダミーパターン層は、前記第１ダミーパターン層に沿って第２長さで延在する。
【００１１】
必要に応じて、前記第１辺の長さに対する前記第１長さの第１比率は、前記第１長さに対する前記第２長さの第２比率と大体同じである。
【００１２】
必要に応じて、前記複数のダミーパターンは、複数の第２ダミーパターンをさらに含み、前記複数の第２ダミーパターンの各々は、前記複数の第１電極ブロックのうちの１つにより囲まれた領域に位置する。
【００１３】
必要に応じて、前記複数のダミーパターンは、複数の第３ダミーパターンをさらに含み、前記複数の第３ダミーパターンの各々は、前記複数の第２電極ブロックのうちの１つにより囲まれた領域に位置する。
【００１４】
必要に応じて、前記第１ジグザグ状境界の大体全てのエッジのうちの各エッジと前記第１方向との間の夾角は、約１５度〜約７５度の範囲にあり、かつ、前記第１ジグザグ状境界の大体全てのエッジのうちの各エッジと前記第２方向との間の夾角は、約１５度〜約７５度の範囲にある。
【００１５】
必要に応じて、前記複数のダミーパターンのうちの各ダミーパターンの境界における大体全てのエッジのうちの隣接する任意の２つのエッジの間の夾角は、約３０度〜約１５０度の範囲にある。
【００１６】
必要に応じて、前記複数のダミーパターンのうちの各ダミーパターンの境界における大体全てのエッジのうちの各エッジと前記第１方向との間の夾角は、約１５度〜約７５度の範囲にあり、かつ、前記複数のダミーパターンのうちの各ダミーパターンの境界における大体全てのエッジのうちの各エッジと前記第２方向との間の夾角は、約１５度〜約７５度の範囲にある。
【００１７】
必要に応じて、前記タッチ基板におけるタッチ電極の総面積に対する前記複数のダミーパターンの総面積の比は、約１：１０〜約１：２の範囲にある。
【００１８】
必要に応じて、前記複数の第１電極ブロックのうちの１つにより囲まれた前記複数の第２ダミーパターンのうちの複数の第２ダミーパターンは、大体前記第２方向に沿う鏡面対称軸に対して、大体鏡面対称になっている。
【００１９】
必要に応じて、前記複数の第１電極ブロックのうちの１つは、前記鏡面対称軸に対して、大体鏡面対称になっている。
【００２０】
必要に応じて、前記第２ジグザグ状境界の大体全てのエッジのうち隣接する任意の２つのエッジの間の夾角は、約３０度〜約１５０度の範囲にある。
【００２１】
必要に応じて、前記第２ジグザグ状境界の大体全てのエッジのうちの各エッジと前記第１方向との間の夾角は、約１５度〜約７５度の範囲にあり、かつ、前記第２ジグザグ状境界の大体全てのエッジのうちの各エッジと前記第２方向との間の夾角は、約１５度〜約７５度の範囲にある。
【００２２】
別の形態において、本発明は、本開示に記載のタッチ基板または本開示に記載の方法により製造されたタッチ基板と、大体前記第１方向および前記第２方向に沿うマトリックスにおける複数のサブピクセルのアレイとを備えるタッチコントロール表示装置を提供する。
【図面の簡単な説明】
【００２３】
以下の図面は、さまざまな開示実施例を説明する例に過ぎず、本発明の範囲を制限するためのものではない。
【００２４】
【図１】本発明の幾つかの実施例に係るタッチ基板の模式図である。
【００２５】
【図２】本発明の幾つかの実施例に係るタッチ基板におけるタッチ電極ブロックの境界の模式図である。
【００２６】
【図３】本発明の幾つかの実施例に係るダミーパターンの模式図である。
【００２７】
【図４】本発明の幾つかの実施例に係るタッチ基板の模式図である。
【００２８】
【図５】本発明の幾つかの実施例に係るタッチ基板の模式図である。
【００２９】
【図６】本発明の幾つかの実施例に係るタッチ基板の模式図である。
【００３０】
【図７Ａ】本発明の幾つかの実施例に係るタッチ基板の一部の模式図である。
【図７Ｂ】本発明の幾つかの実施例に係るタッチ基板の一部の模式図である。
【図７Ｃ】本発明の幾つかの実施例に係るタッチ基板の一部の模式図である。
【図７Ｄ】本発明の幾つかの実施例に係るタッチ基板の一部の模式図である。
【００３１】
【図８】本発明の幾つかの実施例に係るタッチ基板の一部の模式図である。
【００３２】
【図９】本発明の幾つかの実施例に係るタッチ基板の一部の模式図である。
【００３３】
【図１０】本発明の幾つかの実施例に係るタッチ基板の一部の模式図である。
【発明を実施するための形態】
【００３４】
以下は、実施例に合わせて、本発明をさらに詳しく説明する。幾つかの実施例に関する以下の説明は、例示や説明を目的とするためのものだけであり、全てを網羅するものではなく、開示した形態と全く同じものに本発明を制限するものではないことに留意すべきである。
【００３５】
従来のタッチコントロール表示装置において、タッチ電極層におけるタッチ検出は、表示モジュール（例えば、液晶表示モジュール）による干渉を受けるため、タッチ感度及び精度が低下する。表示モジュールのタッチ検出に対する干渉を回避するために、従来のタッチコントロール表示装置は、（例えば、ダミー電極ブロックをタッチ基板に内蔵させることで）面積のより小さいタッチ電極を有するように製造される。従来のタッチコントロール表示装置におけるタッチ電極ブロックは、通常、棒状であり、かつ長くて反復で線状に延在する水平または垂直境界を有するため、表示モジュールと相互干渉してモアレパターンを生ずる。
【００３６】
これに鑑み、本発明は、特に、従来技術の制限及び欠点による１つ以上の問題を大体解消したタッチ基板およびタッチコントロール表示装置を提供する。１つの形態において、本発明は、タッチ基板を提供する。幾つかの実施例において、タッチ基板は、第１方向に次々に設けられた複数の第１タッチ電極を有し、複数の第１タッチ電極の各々が大体第２方向に延在する第１タッチ電極層と、第２方向に次々に設けられた複数の第２タッチ電極を含み、複数の第２タッチ電極の各々が大体第１方向に延在する第２タッチ電極層と、第１タッチ電極層から電気的に絶縁された複数のダミーパターンとを備える。必要に応じて、複数の第１タッチ電極の各々は、大体第２方向に電気的に接続される複数の第１タッチ電極ブロックを含み、複数の第２タッチ電極の各々は、大体第１方向に電気的に接続される複数の第２タッチ電極ブロックを含む。必要に応じて、複数の第1タッチ電極ブロックの各々は、複数の上昇エッジと複数の下降エッジとを有する第１ジグザグ状境界を備える。必要に応じて、複数の第１タッチ電極ブロックの各々と複数のダミーパターンのうちの隣接するダミーパターンとは、略平行四辺形状を形成する。必要に応じて、第１ジグザグ状境界の大体全てのエッジのうち隣接する任意の２つのエッジの間の夾角は、約３０度〜約１５０度の範囲にある。
【００３７】
本開示において、「ダミーパターン」という用語は、タッチ信号の伝達に用いられないパターンを表す。必要に応じて、ダミーパターンはフローティングである。必要に応じて、ダミーパターンは、隣接するタッチ電極ブロックの間に設けられる。ダミーパターンは、隣接するタッチ電極ブロックのパターンの間のギャップを充填するためのものである。ダミーパターンは、隣接するタッチ電極ブロックの領域と隣接するタッチ電極ブロックの間のギャップが別々に認識されるのを防止するように形成されてもよい。必要に応じて、ダミーパターンは、フローティング状態にあり、この状態において、ダミーパターンは、いかなるタッチ電極ブロックにも接続されない。
【００３８】
本開示において、「略平行四辺形状」という用語は、一般的に、２対の平行な辺を有する四辺形状を指す。本発明において、「略平行四辺形」という用語は、数学で用いられた厳密な意味での完璧な平行四辺形に制限されず、平行四辺形と近似する形状、例えば完璧な平行四辺形とわずかな偏差がある平行四辺形も含む。必要に応じて、略平行四辺形としては、１つ以上の非直線境界を有する平行四辺形、境界には１つ以上の小さな突起を有する平行四辺形、境界には１つ以上の小さな窪みを有する平行四辺形、１つ以上のエッジには公称曲率を有する平行四辺形、一部が突出した辺を有する平行四辺形、１つの領域に沿って突出した辺を有する平行四辺形、１つ以上の平角または鈍角または丸角または面取り角を有する平行四辺形などが含まれる。必要に応じて、平行四辺形の２つの辺の間の内角は、約６０度〜約９０度の範囲にあり、例えば約６０度〜約８９度、約６０度〜約８０度、約７０度〜約９０度、約７０度〜約８０度である。必要に応じて、平行四辺形の内角は全て９０度ではない。必要に応じて、略平行四辺形状は、矩形または正方形である。必要に応じて、略平行四辺形状は、矩形または正方形以外の平行四辺形である。
【００３９】
本開示において、「大体全てのエッジ」という用語は、少なくとも８０％、少なくとも８５％、少なくとも９０％、少なくとも９５％、少なくとも９６％、少なくとも９７％、少なくとも９８％、少なくとも９９％、少なくとも９９.５％または少なくとも９９.６％のエッジを表す。
【００４０】
図１は、本発明の幾つかの実施例に係るタッチ基板の模式図である。図１に示すように、幾つかの実施例において、タッチ基板は、第１方向に次々に設けられた複数の第１タッチ電極１０を有する第１タッチ電極層を備える。複数の第１タッチ電極１０の各々は大体第２方向に延在する。タッチ基板は、第１タッチ電極層から電気的に絶縁された複数のダミーパターン３をさらに備える。複数の第１タッチ電極１０の各々は、大体第２方向に電気的に接続される複数の第１タッチ電極ブロック１を含む。本発明のタッチ基板において、複数の第1タッチ電極ブロック１の各々は、複数の上昇エッジと複数の下降エッジとを有する第１ジグザグ状境界を備える。
【００４１】
幾つかの実施例において、第１ジグザグ状境界の大体全てのエッジのうち隣接する任意の２つのエッジの間の夾角は、約３０度〜約１５０度の範囲にある。図２は、本発明の幾つかの実施例に係るタッチ基板におけるタッチ電極ブロックの境界の模式図である。図２に示すように、第１タッチ電極ブロックは、複数の上昇エッジ（例えば、エッジｅ２とｅ１’）と複数の下降エッジ（例えば、エッジｅ３とｅ１）とを有するジグザグ状境界を備える。例えば、第１ジグザグ状境界の大体全てのエッジのうち隣接する任意の２つのエッジの間の夾角は、約３０度〜約１５０度の範囲にある。例えば、エッジｅ１とｅ１’との間の夾角α、エッジｅ１とｅ２との間の夾角α'およびエッジｅ２とｅ３との間の夾角α’’のいずれも約３０度〜約１５０度の夾角である。
【００４２】
必要に応じて、第１ジグザグ状境界の大体全てのエッジのうち隣接する任意の２つのエッジの間の夾角は、約５０度〜約１３０度の範囲にある。必要に応じて、第１ジグザグ状境界の大体全てのエッジのうち隣接する任意の２つのエッジの間の夾角は、約６０度〜約１２０度の範囲にある。必要に応じて、第１ジグザグ状境界の大体全てのエッジのうち隣接する任意の２つのエッジの間の夾角は、約７０度〜約１１０度の範囲にある。必要に応じて、第１ジグザグ状境界の大体全てのエッジのうち隣接する任意の２つのエッジの間の夾角は、約８０度〜約１００度の範囲にある。必要に応じて、第１ジグザグ状境界の大体全てのエッジのうち隣接する任意の２つのエッジの間の夾角は、約８５度〜約９５度の範囲にある。必要に応じて、第１ジグザグ状境界の大体全てのエッジのうち隣接する任意の２つのエッジの間の夾角は、約９０度である。
【００４３】
幾つかの実施例において、第１ジグザグ状境界の大体全てのエッジのうちの各エッジと第１方向との間の夾角は、約１５度〜約７５度の範囲にあり、かつ、第１ジグザグ状境界の大体全てのエッジのうちの各エッジと第２方向との間の夾角は、約１５度〜約７５度の範囲にある。図２に示すように、エッジｅ１’と第１方向との間の夾角γ１は、約１５度〜約７５度にあり、エッジｅ４’と第１方向との間の夾角γ２は、約１５度〜約７５度にあり、エッジｅ１と第２方向との間の夾角β１は、約１５度〜約７５度にあり、かつ、エッジｅ４と第２方向との間の夾角β２は、約１５度〜約７５度にある。
【００４４】
必要に応じて、第１ジグザグ状境界の大体全てのエッジのうちの各エッジと第１方向との間の夾角は、約２５度〜約６５度の範囲にあり、かつ、第１ジグザグ状境界の大体全てのエッジのうちの各エッジと第２方向との間の夾角は、約２５度〜約６５度の範囲にある。必要に応じて、第１ジグザグ状境界の大体全てのエッジのうちの各エッジと第１方向との間の夾角は、約３０度〜約６０度の範囲にあり、かつ、第１ジグザグ状境界の大体全てのエッジのうちの各エッジと第２方向との間の夾角は、約３０度〜約６０度の範囲にある。必要に応じて、第１ジグザグ状境界の大体全てのエッジのうちの各エッジと第１方向との間の夾角は、約３５度〜約５５度の範囲にあり、かつ、第１ジグザグ状境界の大体全てのエッジのうちの各エッジと第２方向との間の夾角は、約３５度〜約５５度の範囲にある。必要に応じて、第１ジグザグ状境界の大体全てのエッジのうちの各エッジと第１方向との間の夾角は、約４０度〜約５０度の範囲にあり、かつ、第１ジグザグ状境界の大体全てのエッジのうちの各エッジと第２方向との間の夾角は、約４０度〜約５０度の範囲にある。必要に応じて、第１ジグザグ状境界の大体全てのエッジのうちの各エッジと第１方向との間の夾角は、約４２．５度〜約４７．５度の範囲にあり、かつ、第１ジグザグ状境界の大体全てのエッジのうちの各エッジと第２方向との間の夾角は、約４２．５度〜約４７．５度の範囲にある。必要に応じて、第１ジグザグ状境界の大体全てのエッジのうちの各エッジと第１方向との間の夾角は、約４５度であり、かつ、第１ジグザグ状境界の大体全てのエッジのうちの各エッジと第２方向との間の夾角は、約４５度である。
【００４５】
幾つかの実施例において、タッチ基板は、大体第３方向に沿って設けられた複数のブラックマトリックスと大体第４方向に沿って設けられた複数のブラックマトリックスとを有するブラックマトリックス層をさらに備える。必要に応じて、第１方向と第３方向は大体平行になっており、かつ、第２方向と第４方向は大体平行になっている。
【００４６】
幾つかの実施例において、タッチ基板は、表示装置におけるタッチ基板であって、大体第３方向および第４方向に沿ってアレイ状に配列された複数のサブピクセルのアレイを備える。必要に応じて、第１方向と第３方向は大体平行になっており、かつ、第２方向と第４方向は大体平行になっている。
【００４７】
必要に応じて、第１タッチ電極層は、タッチセンシング電極層である。必要に応じて、第１タッチ電極層は、タッチ走査電極層である。
【００４８】
必要に応じて、タッチ基板は、第１タッチ電極層を備える自己容量型タッチ基板である。必要に応じて、タッチ基板は、第１タッチ電極層と第２タッチ電極層とを備える相互容量型タッチ基板である。
【００４９】
第１ジグザグ状境界の大体全てのエッジのうち隣接する任意の２つのエッジの間の夾角を約３０度〜約１５０度の範囲にし、第１ジグザグ状境界の大体全てのエッジのうちの各エッジと第１方向との間の夾角を約１５度〜約７５度の範囲にし、第１ジグザグ状境界の大体全てのエッジのうちの各エッジと第２方向との間の夾角を約１５度〜約７５度の範囲にすることにより、タッチ電極パターンとタッチ基板を備える表示装置における複数のサブピクセルのパターンとの間の干渉を大幅に低減させて、表示モジュールとの相互干渉およびモアレパターンを回避することができる。
【００５０】
幾つかの実施例において、複数のダミーパターンのうちの各ダミーパターンの境界における大体全てのエッジのうち隣接する任意の２つのエッジの間の夾角は、約３０度〜約１５０度の範囲にある。図３は、本発明の幾つかの実施例に係るダミーパターンの模式図である。ダミーパターンは、複数のエッジ、例えばエッジｆ１、ｆ２、ｆ３およびｆ４を有する。たとえば、図３に示すように、エッジｆ１とエッジｆ２との間の夾角φ、エッジｆ２とエッジｆ３との間の夾角φ’、エッジｆ１とエッジｆ４との間の夾角φ’’、およびエッジｆ３とエッジｆ４との間の夾角のいずれも約３０度〜約１５０度の角である。
【００５１】
必要に応じて、複数のダミーパターンのうちの各ダミーパターンの境界における大体全てのエッジのうち隣接する任意の２つのエッジの間の夾角は、約５０度〜約１３０度の範囲にある。必要に応じて、複数のダミーパターンのうちの各ダミーパターンの境界における大体全てのエッジのうち隣接する任意の２つのエッジの間の夾角は、約６０度〜約１２０度の範囲にある。必要に応じて、複数のダミーパターンのうちの各ダミーパターンの境界における大体全てのエッジのうち隣接する任意の２つのエッジの間の夾角は、約７０度〜約１１０度の範囲にある。必要に応じて、複数のダミーパターンのうちの各ダミーパターンの境界における大体全てのエッジのうち隣接する任意の２つのエッジの間の夾角は、約８０度〜約１００度の範囲にある。必要に応じて、複数のダミーパターンのうちの各ダミーパターンの境界における大体全てのエッジのうち隣接する任意の２つのエッジの間の夾角は、約８５度〜約９５度の範囲にある。必要に応じて、複数のダミーパターンのうちの各ダミーパターンの境界における大体全てのエッジのうち隣接する任意の２つのエッジの間の夾角は、約９０度である。
【００５２】
幾つかの実施例において、複数のダミーパターンのうちの各ダミーパターンの境界における大体全てのエッジのうちの各エッジと第１方向との間の夾角は、約１５度〜約７５度の範囲にあり、かつ、複数のダミーパターンのうちの各ダミーパターンの境界における大体全てのエッジのうちの各エッジと第２方向との間の夾角は、約１５度〜約７５度の範囲にある。図３に示すように、エッジｆ３と第１方向との間の夾角θ１は約１５度〜約７５度にあり、エッジｆ４と第１方向との間の夾角θ２は約１５度〜約７５度にあり、エッジｆ２と第２方向との間の夾角j１は約１５度〜約７５度にあり、かつ、エッジｆ１と第２方向との間の夾角j２は約１５度〜約７５度にある。
【００５３】
必要に応じて、複数のダミーパターンのうちの各ダミーパターンの境界における大体全てのエッジのうちの各エッジと第１方向との間の夾角は、約２５度〜約６５度の範囲にあり、かつ、複数のダミーパターンのうちの各ダミーパターンの境界における大体全てのエッジのうちの各エッジと第２方向との間の夾角は、約２５度〜約６５度の範囲にある。必要に応じて、複数のダミーパターンのうちの各ダミーパターンの境界における大体全てのエッジのうちの各エッジと第１方向との間の夾角は、約３０度〜約６０度の範囲にあり、かつ、複数のダミーパターンのうちの各ダミーパターンの境界における大体全てのエッジのうちの各エッジと第２方向との間の夾角は、約３０度〜約６０度の範囲にある。必要に応じて、複数のダミーパターンのうちの各ダミーパターンの境界における大体全てのエッジのうちの各エッジと第１方向との間の夾角は、約３５度〜約５５度の範囲にあり、かつ、複数のダミーパターンのうちの各ダミーパターンの境界における大体全てのエッジのうちの各エッジと第２方向との間の夾角は、約３５度〜約５５度の範囲にある。必要に応じて、複数のダミーパターンのうちの各ダミーパターンの境界における大体全てのエッジのうちの各エッジと第１方向との間の夾角は、約４０度〜約５０度の範囲にあり、かつ、複数のダミーパターンのうちの各ダミーパターンの境界における大体全てのエッジのうちの各エッジと第２方向との間の夾角は、約４０度〜約５０度の範囲にある。必要に応じて、複数のダミーパターンのうちの各ダミーパターンの境界における大体全てのエッジのうちの各エッジと第１方向との間の夾角は、約４２．５度〜約４７．５度の範囲にあり、かつ、複数のダミーパターンのうちの各ダミーパターンの境界における大体全てのエッジのうちの各エッジと第２方向との間の夾角は、約４２．５度〜約４７．５度の範囲にある。必要に応じて、複数のダミーパターンのうちの各ダミーパターンの境界における大体全てのエッジのうちの各エッジと第１方向との間の夾角は、約４５度であり、かつ、複数のダミーパターンのうちの各ダミーパターンの境界における大体全てのエッジのうちの各エッジと第２方向との間の夾角は、約４５度である。
【００５４】
幾つかの実施例において、タッチ基板は、大体第３方向に沿って設けられた複数のブラックマトリックスと大体第４方向に沿って設けられた複数のブラックマトリックスとを有するブラックマトリックス層をさらに備える。必要に応じて、第１方向と第３方向は大体平行になっており、かつ、第２方向と第４方向は大体平行になっている。
【００５５】
幾つかの実施例において、タッチ基板は、表示装置におけるタッチ基板であって、大体第３方向および第４方向に沿ってアレイ状に配列された複数のサブピクセルのアレイを備える。必要に応じて、第１方向と第３方向は大体平行になっており、かつ、第２方向と第４方向は大体平行になっている。
【００５６】
複数のダミーパターンのうちの各ダミーパターンの境界における大体全てのエッジのうち隣接する任意の２つのエッジの間の夾角を約３０度〜約１５０度の範囲にし、複数のダミーパターンのうちの各ダミーパターンの境界における大体全てのエッジのうちの各エッジと第１方向との間の夾角を約１５度〜約７５度の範囲にし、複数のダミーパターンのうちの各ダミーパターンの境界における大体全てのエッジのうちの各エッジと第２方向との間の夾角を約１５度〜約７５度の範囲にすることにより、タッチ電極パターンとタッチ基板を備える表示装置における複数のサブピクセルのパターンとの間の干渉をさらに低減させて、表示モジュールとの相互干渉およびモアレパターンを回避することができる。
【００５７】
図４は、本発明の幾つかの実施例に係るタッチ基板の模式図である。図４に示すように、幾つかの実施例において、タッチ基板は、第２方向に次々に設けられた複数の第２タッチ電極２０を含む第２タッチ電極層をさらに備える。複数の第２タッチ電極２０の各々は大体第１方向に延在する。複数の第２タッチ電極２０の各々は、大体第１方向に電気的に接続される複数の第２電極ブロック２を含む。必要に応じて、複数の第1タッチ電極ブロック１の各々は、複数の上昇エッジと複数の下降エッジとを有する第１ジグザグ状境界を備え、かつ、複数の第２タッチ電極ブロック２の各々は、複数の上昇エッジと複数の下降エッジとを有する第２ジグザグ状境界を備える。
【００５８】
幾つかの実施例において、第２ジグザグ状境界の大体全てのエッジのうち隣接する任意の２つのエッジの間の夾角は、約３０度〜約１５０度の範囲にある。必要に応じて、第２ジグザグ状境界の大体全てのエッジのうち隣接する任意の２つのエッジの間の夾角は、約５０度〜約１３０度の範囲にある。必要に応じて、第２ジグザグ状境界の大体全てのエッジのうち隣接する任意の２つのエッジの間の夾角は、約６０度〜約１２０度の範囲にある。必要に応じて、第２ジグザグ状境界の大体全てのエッジのうち隣接する任意の２つのエッジの間の夾角は、約７０度〜約１１０度の範囲にある。必要に応じて、第２ジグザグ状境界の大体全てのエッジのうち隣接する任意の２つのエッジの間の夾角は、約８０度〜約１００度の範囲にある。必要に応じて、第２ジグザグ状境界の大体全てのエッジのうち隣接する任意の２つのエッジの間の夾角は、約８５度〜約９５度の範囲にある。必要に応じて、第２ジグザグ状境界の大体全てのエッジのうち隣接する任意の２つのエッジの間の夾角は、約９０度である。
【００５９】
幾つかの実施例において、第２ジグザグ状境界の大体全てのエッジのうちの各エッジと第１方向との間の夾角は、約１５度〜約７５度の範囲にあり、かつ、第２ジグザグ状境界の大体全てのエッジのうちの各エッジと第２方向との間の夾角は、約１５度〜約７５度の範囲にある。必要に応じて、第２ジグザグ状境界の大体全てのエッジのうちの各エッジと第１方向との間の夾角は、約２５度〜約６５度の範囲にあり、かつ、第２ジグザグ状境界の大体全てのエッジのうちの各エッジと第２方向との間の夾角は、約２５度〜約６５度の範囲にある。必要に応じて、第２ジグザグ状境界の大体全てのエッジのうちの各エッジと第１方向との間の夾角は、約３０度〜約６０度の範囲にあり、かつ、第２ジグザグ状境界の大体全てのエッジのうちの各エッジと第２方向との間の夾角は、約３０度〜約６０度の範囲にある。必要に応じて、第２ジグザグ状境界の大体全てのエッジのうちの各エッジと第１方向との間の夾角は、約３５度〜約５５度の範囲にあり、かつ、第２ジグザグ状境界の大体全てのエッジのうちの各エッジと第２方向との間の夾角は、約３５度〜約５５度の範囲にある。必要に応じて、第２ジグザグ状境界の大体全てのエッジのうちの各エッジと第１方向との間の夾角は、約４０度〜約５０度の範囲にあり、かつ、第２ジグザグ状境界の大体全てのエッジのうちの各エッジと第２方向との間の夾角は、約４０度〜約５０度の範囲にある。必要に応じて、第２ジグザグ状境界の大体全てのエッジのうちの各エッジと第１方向との間の夾角は、約４２．５度〜約４７．５度の範囲にあり、かつ、第２ジグザグ状境界の大体全てのエッジのうちの各エッジと第２方向との間の夾角は、約４２．５度〜約４７．５度の範囲にある。必要に応じて、第２ジグザグ状境界の大体全てのエッジのうちの各エッジと第１方向との間の夾角は、約４５度であり、かつ、第２ジグザグ状境界の大体全てのエッジのうちの各エッジと第２方向との間の夾角は、約４５度である。
【００６０】
必要に応じて、第２タッチ電極層は、タッチ走査電極層である。必要に応じて、第２タッチ電極層は、タッチセンシング電極層である。
【００６１】
必要に応じて、タッチ基板は、第１タッチ電極層と第２タッチ電極層とを備える相互容量型タッチ基板である。
【００６２】
第２ジグザグ状境界の大体全てのエッジのうち隣接する任意の２つのエッジの間の夾角を約３０度〜約１５０度の範囲にし、第２ジグザグ状境界の大体全てのエッジのうちの各エッジと第１方向との間の夾角を約１５度〜約７５度の範囲にし、第２ジグザグ状境界の大体全てのエッジのうちの各エッジと第２方向との間の夾角を約１５度〜約７５度の範囲にすることにより、タッチ電極パターンとタッチ基板を有する表示装置における複数のサブピクセルのパターンとの間の干渉をさらに低減させて、表示モジュールとの相互干渉およびモアレパターンを回避することができる。
【００６３】
図１に示すように、複数の第１タッチ電極１０と複数の第２タッチ電極２０は互いに交差しており、複数の交差点４０を形成する。必要に応じて、複数の第１タッチ電極１０の各々において、隣接する第１タッチ電極ブロックは、複数の交差点４０のうちの１つで互いに離隔されている。幾つかの実施例において、幾つかの実施例に係るタッチ基板は、複数の第１ブリッジ１ａを有する第１ブリッジ層をさらに備え、複数の第１タッチ電極１０の各々において、隣接する第１タッチ電極ブロックは、複数の第１ブリッジ１aのうちの１つを介して互いに電気的に接続されている。複数の第１ブリッジ１aの各々は、複数の第１タッチ電極１０の各々における複数の第１電極ブロック１のうち隣接する２つの第１タッチ電極ブロックと電気的に接続されている。必要に応じて、第１ブリッジ層と第１タッチ電極層は、２つの異なる層に位置する。必要に応じて、第１ブリッジ層と第１タッチ電極層は同一の層に位置し、例えば、これらの層は、同じ材料で製造され、同一の過程において同一のマスクプレートでモールド成形される。
【００６４】
必要に応じて、複数の第２タッチ電極２０の各々において、隣接する第２タッチ電極ブロックは、複数の交差点４０のうちの１つで互いに離隔されている。幾つかの実施例において、幾つかの実施例に係るタッチ基板は、複数の第２ブリッジ２ａを有する第２ブリッジ層をさらに備え、複数の第２タッチ電極２０の各々において、隣接する第２タッチ電極ブロックは、複数の第２ブリッジ２aのうちの１つを介して互いに電気的に接続されている。複数の第２ブリッジ２aの各々は、複数の第２タッチ電極２０の各々における複数の第２電極ブロック２のうち隣接する２つの第２タッチ電極ブロックと電気的に接続されている。必要に応じて、第２ブリッジ層と第２タッチ電極層は、２つの異なる層に位置する。必要に応じて、第２ブリッジ層と第２タッチ電極層は同一の層に位置し、例えば、これらの層は、同じ材料で製造され、同一の過程において同一のマスクプレートでモールド成形される。
【００６５】
必要に応じて、第１タッチ電極層と第２タッチ電極層は、同一の層に位置し、例えば、これらの層は、同じ材料で製造され、同一の過程において同一のマスクプレートでモールド成形される。必要に応じて、第１タッチ電極層と第２タッチ電極層は、２つの異なる層に位置する。
【００６６】
図４に示すように、幾つかの実施例において、タッチ基板は、複数の第１ダミーパターン３’ と複数の第２ダミーパターン３’’とを含む。複数の第１ダミーパターン３’の各々は、隣接する２つの電極ブロックの間（例えば、複数の第１電極ブロック１のうちの１つと複数の第２電極ブロック２のうちの１つとの間）の領域に位置する。複数の第２ダミーパターン３’’の各々は、単一のタッチ電極ブロック（例えば、複数の第１電極ブロック１のうちの１つ）により囲まれた領域に位置する。このように設計することにより、タッチ電極の面積（例えば、タッチセンシング電極の総面積）をさらに低減させることができ、タッチ信号をノイズ信号とより容易に区分することもできる。
【００６７】
必要に応じて、複数の第１電極ブロック１のうちの１つにより囲まれた複数の第２ダミーパターン３’’は、大体第２方向に沿う鏡面対称軸５０に対して、大体鏡面対称になっている。必要に応じて、複数の第１電極ブロック１のうちの１つは、鏡面対称軸５０に対して、大体鏡面対称になっている。
【００６８】
図５は、本発明の幾つかの実施例に係るタッチ基板の模式図である。図５に示すように、幾つかの実施例において、タッチ基板は、複数の第１ダミーパターン３’と複数の第２ダミーパターン３’’と複数の第３ダミーパターン３’’’とを含む。複数の第１ダミーパターン３’の各々は、複数の第１タッチ電極ブロック１のうちの１つと複数の第２タッチ電極ブロック２のうちの１つとの間に挟み込まれた領域に位置する。複数の第２ダミーパターン３’’の各々は、複数の第１電極ブロック１のうちの１つにより囲まれた領域に位置する。複数の第３ダミーパターン３’’’の各々は、複数の第２電極ブロック２のうちの１つにより囲まれた領域に位置する。
【００６９】
必要に応じて、複数の第１電極ブロック１のうちの１つにより囲まれた複数の第２ダミーパターン３’’は、大体第２方向に沿う鏡面対称軸５０に対して、大体鏡面対称になっている。必要に応じて、複数の第１電極ブロック１のうちの１つは、鏡面対称軸５０に対して、大体鏡面対称になっている。必要に応じて、複数の第２電極ブロック２のうちの１つにより囲まれた複数の第３ダミーパターン３’’’は、大体第２方向に沿う鏡面対称軸６０に対して、大体鏡面対称になっている。必要に応じて、複数の第２電極ブロック２のうちの１つは、鏡面対称軸６０に対して、大体鏡面対称になっている。
【００７０】
必要に応じて、複数のダミーパターンの総面積とタッチ基板におけるタッチ電極の総面積との比は、約１：１０〜約１：２の範囲にある。必要に応じて、複数のダミーパターンの総面積と、第１タッチ電極層と第２タッチ電極層の総面積との比は、約１：１０〜約１：２の範囲にある。１つの実施例において、図５に示すように、複数の第１ダミーパターン３’と複数の第２ダミーパターン３’’と複数の第３ダミーパターン３’’’との総面積と、複数の第１タッチ電極ブロック１と複数の第２タッチ電極ブロック２の総面積との比は、約１：１０〜約１：２の範囲にある。
【００７１】
図６は、本発明の幾つかの実施例に係るタッチ基板の模式図である。図６に示すように、幾つかの実施例において、ダミーパターンは、多くの小さなダミーブロックを含むモザイクダミーパターンである。モザイクダミーパターンを配置することにより、タッチ電極の境界の間の光干渉をさらに低減させて、優れたブランキング効果を実現することができる。
【００７２】
図１及び図４〜図６に示すように、幾つかの実施例において、タッチ基板は、複数の第１タッチ信号線１００と複数の第２タッチ信号線２００とをさらに備える。幾つかの実施例において、複数の第１タッチ信号線１００の各々は、並列接続された複数の第１タッチ電極１０のうちの２つ以上（例えば、２つ、３つ、４つまたはこれ以上）に電気的に接続されている。幾つかの実施例において、複数の第２タッチ信号線２００の各々は、並列接続された複数の第２タッチ電極２０のうちの２つ以上（例えば、２つ、３つ、４つまたはこれ以上）に電気的に接続されている。
【００７３】
幾つかの実施例において、複数の第１タッチ電極ブロックの各々と複数のダミーパターンのうちの隣接するダミーパターンとは、略平行四辺形状を形成する。図７Ａ〜７Ｄは、本発明の幾つかの実施例に係るタッチ基板の一部の模式図である。図７Ａは、図１に示すタッチ基板の一部を示す。図７Ａにおいて、複数の第１タッチ電極ブロック１の各々と複数の第１ダミーパターン３’のうちの隣接するダミーパターンとは、略平行四辺形状を形成する。略平行四辺形状の内角ｉは、約６０度〜約９０度の範囲にある。図１に示すように、幾つかの実施例において、複数の第２タッチ電極２の各々は、略平行四辺形状を有する。同様に、複数の第２タッチ電極２の各々の略平行四辺形状の内角は、約６０度〜約９０度の範囲にある。図７Ｂは、図４に示すタッチ基板の一部を示す。図７Ｂにおいて、複数の第１タッチ電極ブロック１の各々と複数の第１ダミーパターン３’のうちの隣接するダミーパターンと複数の第２ダミーパターン３’’のうちの隣接するダミーパターンとは、略平行四辺形状を形成する。略平行四辺形状の内角ｉは、約６０度〜約９０度の範囲にある。図７Ｃは、図４に示すタッチ基板の一部を示す。図７Ｃにおいて、複数の第１タッチ電極ブロック２の各々と複数の第１ダミーパターン３’のうちの隣接するダミーパターンとは、略平行四辺形状を形成する。略平行四辺形状の内角ｉは、約６０度〜約９０度の範囲にある。図７Ｄは、図６に示すタッチ基板の一部を示す。図７Ｄにおいて、複数の第１タッチ電極ブロック１の各々と複数の第１ダミーパターン３’のうちの隣接するダミーパターンとは、略平行四辺形状を形成する。略平行四辺形状の内角ｉは、約６０度〜約９０度の範囲にある。図６に示すように、幾つかの実施例において、複数の第２タッチ電極２の各々は、略平行四辺形状を有する。複数の第２タッチ電極２の各々の略平行四辺形状の内角は、約６０度〜約９０度の範囲にある。
【００７４】
必要に応じて、平行四辺形の２つの辺の間における略平行四辺形状の内角は、約６０度〜約９０度の範囲にあり、例えば約６０度〜約８９度、約６０度〜約８０度、約７０度〜約９０度、約７０度〜約８０度である。
【００７５】
幾つかの実施例において、複数のダミーパターンは、複数の第１ダミーパターン３’を含み、複数の第１ダミーパターン３’の各々は、複数の第１電極ブロック１のうちの１つ及び複数の第２電極ブロック２のうちの１つからなる対の第１電極ブロックと第２電極ブロックとの間に挟み込まれた領域に位置し、複数の第１電極ブロック１のうちの１つと複数の第２電極ブロック２のうちの１つは互いに隣接する。図８は、本発明の幾つかの実施例に係るタッチ基板の一部の模式図である。図８に示すように、複数の第１タッチ電極ブロック１のうちの１つと複数の第１ダミーパターン３’のうちの隣接するダミーパターンとにより形成される略平行四辺形状は、４つの辺Ｓ１〜Ｓ４を有する。複数の第１ダミーパターン３’のうちの１つ以上は、第１辺Ｓ１〜第４辺Ｓ４のそれぞれに長さａを占める。第１辺Ｓ１の長さは、Ｌ１である。必要に応じて、長さａは、第１辺Ｌ１の約５０％〜約７５％（例えば、約５０％〜約６２．５％、約６２．５％〜約７５％）である。必要に応じて、図８に示すように、複数の第１ダミーパターンのうちの１つ以上は、略平行四辺形状の四辺の少なくとも１つの辺のそれぞれの長さに対して、約５０％〜約７５％（例えば、約５０％〜約６２．５％、約６２．５％〜約７５％）を占める。
【００７６】
図８および図１に示すように、第１辺Ｓ１の一部を占める前記複数の第１ダミーパターン３’のうちの１つ以上の各々は、複数の第１電極ブロック１のうちの１つ及び複数の第２電極ブロック２のうちの１つからなる対の第１電極ブロックと第２電極ブロックとの間の幅方向において、幅ｗを有する。幾つかの実施例において、複数の第１電極ブロック１のうちの１つ及び複数の第２電極ブロック２のうちの１つからなる対の第１電極ブロックと第２電極ブロックとの間の幅方向における、複数の第１ダミーパターン３’の各々の幅ｗは、略平行四辺形状の幅方向に大体平行する辺の長さＬ２の約２５％以下（例えば、１２．５％以下、１２.５％〜２５％）である。
【００７７】
図９は、本発明の幾つかの実施例に係るタッチ基板の一部の模式図である。図９に示すように、複数の第２タッチ電極ブロック２のうちの１つと複数の第１ダミーパターン３’のうちの隣接するダミーパターンとにより形成される略平行四辺形状は、４つの辺Ｓ１〜Ｓ４を有する。複数の第１ダミーパターン３’のうちの１つ以上は、第１辺Ｓ１〜第４辺Ｓ４のそれぞれに長さaを占める。第１辺Ｓ１の長さは、Ｌ１である。必要に応じて、長さaは、第１辺Ｌ１の約５０％〜約７５％（例えば、約５０％〜約６２．５％、約６２．５％〜約７５％）である。必要に応じて、図９に示すように、複数の第１ダミーパターンのうちの１つ以上は、略平行四辺形状の四辺の少なくとも１つの辺のそれぞれの長さに対して、約５０％〜約７５％（例えば、約５０％〜約６２．５％、約６２．５％〜約７５％）を占める。
【００７８】
図９および図４に示すように、第１辺Ｓ１の一部を占める前記複数の第１ダミーパターン３’のうち１つ以上の各々は、複数の第１電極ブロック１のうちの１つ及び複数の第２電極ブロック２のうちの１つからなる対の第１電極ブロックと第２電極ブロックとの間の幅方向において、幅ｗを有する。幾つかの実施例において、複数の第１電極ブロック１のうちの１つ及び複数の第２電極ブロック２のうちの１つからなる対の第１電極ブロックと第２電極ブロックとの間の幅方向における、複数の第１ダミーパターン３’の各々の幅ｗは、略平行四辺形状の幅方向に大体平行する辺の長さＬ２の約２５％以下（例えば、１２．５％以下、１２.５％〜２５％）である。
【００７９】
図１０は、本発明の幾つかの実施例に係るタッチ基板の一部の模式図である。図１０に示すように、略平行四辺形状の第１辺Ｓ１を占める複数の第１ダミーパターン３’における複数のダミーパターンは、第１ダミーパターン層ｍと第２ダミーパターン層ｎとを含む。第１ダミーパターンｍは、略平行四辺形状の第１辺Ｓ１に沿って第１長さａ１で延在する。第２ダミーパターン層ｎは、第１ダミーパターン層ｍと隣接する。第２ダミーパターン層ｎは、第１ダミーパターン層ｍによって略平行四辺形状の第１辺Ｓ１から離隔される。第２ダミーパターン層ｎは、第１ダミーパターン層ｍ、例えば略平行四辺形状の第１辺Ｓ１と大体平行する方向に沿って第２長さａ２で延在する。
【００８０】
必要に応じて、略平行四辺形状の第１辺Ｓ１を占める複数の第１ダミーパターン３’における複数のダミーパターンは、２つを超えたダミーパターン層を含む。
【００８１】
幾つかの実施例において、第１長さａ１と第１辺Ｓ１の長さＬ１との第１比率は、第２長さａ２と第１長さａ１との第２比率と大体同じである。必要に応じて、第１比率および第２比率の各々はいずれも約１：２〜３：４の範囲にあり、たとえば約１：２〜約５：８、約５：８〜約３：４である。
【００８２】
図１０および図６に示すように、第１ダミーパターン層ｍにおける前記複数の第１ダミーパターン３’のうちの１つ以上の各々は、複数の第１電極ブロック１のうちの１つ及び複数の第２電極ブロック２のうちの１つからなる対の第１電極ブロックと第２電極ブロックとの間の幅方向において、幅ｗ１を有し、かつ、第２ダミーパターン層ｎにおける前記複数の第１ダミーパターン３’のうちの１つ以上の各々は、複数の第１電極ブロック１のうちの１つ及び複数の第２電極ブロック２のうちの１つからなる対の第１電極ブロックと第２電極ブロックとの間の幅方向において、幅ｗ２を有する。幾つかの実施例において、複数の第１電極ブロック１のうちの１つ及び複数の第２電極ブロック２のうちの１つからなる対の第１電極ブロックと第２電極ブロックとの間の幅方向における、第１ダミーパターン層ｍにおける複数の第１ダミーパターン３’の各々の幅ｗ１は、略平行四辺形状の幅方向に大体平行する辺の長さＬ２の約２５％以下（例えば、１２．５％以下、１２.５％〜２５％）である。幾つかの実施例において、複数の第１電極ブロック１のうちの１つ及び複数の第２電極ブロック２のうちの１つからなる対の第１電極ブロックと第２電極ブロックとの間の幅方向における、第２ダミーパターン層ｎにおける複数の第１ダミーパターン３’の各々の幅ｗ２は、略平行四辺形状の幅方向に大体平行する辺の長さＬ２の約２５％以下（例えば、１２．５％以下、１２.５％〜２５％）である。幾つかの実施例において、幅ｗ１と幅ｗ２との和は、長さＬ２の約５０％以下（例えば、１２．５％以下、１２.５％〜２５％、２５％〜３７．５％、３７．５％〜５０％）である。
【００８３】
別の形態において、本発明は、前記タッチ基板を備えるタッチコントロール表示パネルを提供する。
【００８４】
別の形態において、本発明は、前記タッチ基板を備えるタッチコントロール表示装置を提供する。好適な表示装置の例としては、電子ペーパー、携帯電話、タブレットコンピュータ、テレビ、モニター、ノートパソコン、デジタルアルバム、ＧＰＳなどが挙げられるが、これらに制限されない。
【００８５】
本発明の実施例に関する前述の説明は、例示や説明を目的とするためのものであり、全てを網羅している訳ではなく、また、開示した形態と全く同じものもしくは例示的な実施例に本発明を限定することを意図しない。従って、前述の説明は、制限的であるというよりも例示的であると考えるべきである。勿論、様々の修正、変形は、当業者にとって明らかである。前記実施例は、本発明の主旨と好ましい実施形態を解説するために選択・説明され、当業者が、特定の用途又は想定される実装方式に適する様々な実施例や様々な変更を理解できるようになる。本発明の範囲は添付した請求項及びそれらの等価物によって制限することが意図され、請求項及びそれらの等価物において全ての用語は、特に明記しない限り、最も広い合理的な意味に解される。従って、「発明」、「本発明」又は類似する用語は必ずしも請求項の範囲を特定の実施例に制限するものではなく、発明の典型的な実施例への参照は発明に対する制限を意味せず、そのような制限は推定されない。本発明は、添付の請求項の趣旨及び範囲のみに制限される。また、これらの請求項は「第１」、「第２」などを使用し、その後ろに名詞又は要素を付け加える場合がある。上記用語は名付けための用語と理解すべきであり、特定の数値を与えない限り、上記名付けための用語が付加された要素の数を制限すると解釈すべきでない。記述した利点や利益は本発明の全ての実施例に応用できるとは限らない。添付の請求項によって定義された本発明の趣旨を逸脱することなく、前述した実施例を当業者にて変更できることが理解されよう。さらに、本開示の要素又は部品が添付の請求項において明示的に記載されるか否かを問わず、該要素又は部品を公衆に捧げることを意図しない。
【図１】
2021502615.tif 000003
【図２】
2021502615.tif 000004
【図３】
2021502615.tif 000005
【図４】
2021502615.tif 000006
【図５】
2021502615.tif 000007
【図６】
2021502615.tif 000008
【図７Ａ】
2021502615.tif 000009
【図７Ｂ】
2021502615.tif 000010
【図７Ｃ】
2021502615.tif 000011
【図７Ｄ】
2021502615.tif 000012
【図８】
2021502615.tif 000013
【図９】
2021502615.tif 000014
【図１０】
2021502615.tif 000015
【国際調査報告】
2021502615.tif 000016
2021502615.tif 000017